(57)【特許請求の範囲】
【請求項１】
南北方向を長手方向として連設された栽培槽において、栽培槽の長手方向に沿った上方に、生育時期別に枝葉の成長する高さを予測して設定した複数の誘引線を水平に設置し、該誘引線上に成長した枝葉の展開葉を載せて整葉する整葉作業と、この長手方向に沿った西がわの側面上方に、誘引線と平行で第１花房が生育する時期の第１花房の高さを予想して設定した荷重負担パイプを水平に設置し、該荷重負担パイプに第１花房が生育した時期の主茎を傾けて固定する主茎固定作業と、を有し、第１花房の開花時期から果実の収穫時期まで主茎を栽培槽の西がわに傾けた状態で支持して超密植栽培で第１花房のみを収穫するトマトの一段密植栽培方法において、
前記整葉作業は、前記生育初期の枝葉が生育する高さに設定された第１誘引線を前記栽培槽の定植位置から西がわに配置し、該第１誘引線上に生育初期の枝葉の展開葉を載せる第１整葉工程と、
第１花房生育時期の枝葉の高さに設定された第２誘引線を前記栽培槽の定植位置から東がわに配置し、該第２誘引線上に第１花房生育時期の枝葉の展開葉を載せる第２整葉工程と、
第１花房生育位置より上の枝葉の高さに設定された第３誘引線を前記栽培槽の定植位置から東西に一対配置し、該第３誘引線上に第１花房より上の枝葉の展開葉を東西に振り分けるように載せる第３整葉工程とからなることを特徴とするトマトの一段密植栽培方法。
【請求項２】
南北方向を長手方向として連設される栽培槽と、栽培槽の上に水平に設置される複数本の誘引線と、この長手方向に沿った西がわ側面上方で誘引線と平行に設置された荷重負担パイプと、該荷重負担パイプに主茎を固定する誘引クリップとを備え、生育した枝葉の展開葉を各誘引線に載せると共に、第１花房が生育した時期に栽培槽の定植位置から西がわに傾けた主茎を、誘引クリップを介して荷重負担パイプに固定するように構成され、超密植栽培で第１花房のみを収穫するトマトの一段密植栽培に使用する栽培装置において、
前記誘引線は、前記栽培槽の定植位置から西がわに配置され、前記生育初期の枝葉が生育する高さに設置する第１誘引線と、前記栽培槽の定植位置から東がわに配置され、第１花房生育時期の枝葉の高さに設置する第２誘引線と、前記栽培槽の定植位置の東西に一対配置され、第１花房生育位置より上の枝葉の高さに設定した第３誘引線とからなり、各枝葉の展開葉を東西に振り分けて各誘引線に載せるように構成したことを特徴とするトマトの一段密植栽培装置。
【請求項３】
前記栽培槽は、底部と、底部の長手方向の両側縁から立設された二つの側壁部にて樋状に成形された容器本体と、該容器本体の開口上部を施蓋する上蓋とによって構成され、上蓋には、苗の培地を容器本体内に差し込み可能な径に開口された大開口部と、該大開口部に隣接し定植後に苗の主茎を側面から保持する小開口部とからなる主茎保持孔が形成された請求項２記載のトマトの一段密植栽培装置。
【請求項４】
前記誘引クリップは、前記荷重負担パイプの側面に嵌合せしめる嵌合連結部と、該嵌合連結部に連設され、主茎の側面を把持せしめる把持部とで構成され、該把持部の開口端部に、互いに係止する一対の係止突起を備えた係脱自在な係合止部を設けた請求項２記載のトマトの一段密植栽培装置。
【発明の詳細な説明】
【技術分野】
【０００１】
本発明は、超密植栽培で第１花房のみを収穫し、年間４作の高位安定生産が可能なトマトの一段密植栽培方法及び装置に関する。
【背景技術】
【０００２】
トマトの栽培において、品質リスクを低減しながら単位面積当たりの収量を増加する一段密植栽培が提唱されている。この一段密植栽培は、１０aあたり１０，０００株程度栽培する方法で、第１花房のみを着生させ、この花房の果実を実らせて収穫する栽培方法である。
【０００３】
この一段密植栽培によると、栽培上のリスクが少なく、単位面積当たり従来の２倍以上の収量が期待できる利点がある。その一方で、栽培管理に要する労働時間が、慣行栽培と比較して増加する欠点があり、収穫が多い分、相当の労力を要するものであった。
【０００４】
すなわち、一段密植栽培は、苗を狭い間隔で密植するので、生育が進むと、多くの枝葉が花や果房の上を覆い、日光を妨げることになる。そのため、第１花房の育成を効率良くするために、これらの枝葉を整枝する作業が必要になる。ところが、この整枝作業が慣行栽培にはない手間のかかる作業となり、この作業に伴う労力が一段密植栽培の労働時間を増加させるものであった。
【０００５】
特許文献１に従来の一段密植栽培方法が記載されている。この栽培方法において、複数のトマトの苗を南北方向に設置された水耕ベッドに定植した後に、第１花房の上方の２本の枝葉を、その先端側を上方に押し上げ、整枝手段により、その先端部が基端部よりも上方に位置するように固定することで、すべての枝葉、花房及びこれが生育した果房並びにその下の枝葉が充分に日光を浴びるようになることが記載されている。
【先行技術文献】
【特許文献】
【０００６】
【特許文献１】特開２００９−１４８２５０号公報
【発明の概要】
【発明が解決しようとする課題】
【０００７】
一段密植栽培方法によると、生育初期の第１花房より上方の枝葉の先端側を上方に押し上げて固定する整枝作業が重要な作業になっていた。そのため、従来の整枝作業では、栽培槽の上方から垂直に振り分けて設置した誘引紐に茎を絡めて整枝する、所謂、振り分け誘引法を用いていた。
【０００８】
また、特許文献１に記載の整枝手段においても、水耕ベッドの東側および西側上方に、２本の誘引線を設置し、この誘引線に枝葉の茎部を絡めて、枝葉の先端側を上方に押し上げるように整枝するものである。
【０００９】
このように、状来の一段密植栽培方法における整枝作業は、枝葉の枝を誘引紐に固定する作業が必要になっており、この作業が一段密植栽培の労働時間を増加させる要因になっていた。しかも、このような整枝作業を年間４回も必要になることから、作業者の栽培管理に要する労働時間が極めて増加することになり、単位面積当たり従来の２倍以上の収穫を高めるためには、慣行栽培の労働時間よりも２倍以上も多くなるものであった。
【００１０】
そこで、本発明は、上述の課題を解消すべく創出されたもので、単位面積当たりの収穫が多い一段密植栽培において、多くの労働時間を必要とする誘引・整枝作業等の軽減を図ることで、栽培管理に要する労働時間を大幅に短縮することが可能なトマトの一段密植栽培方法及び装置の提供を目的とするものである。
【課題を解決するための手段】
【００１１】
上述の目的を達成すべく本発明の第１の手段は、南北方向を長手方向として連設された栽培槽において、連設された栽培槽１０の長手方向に沿った上方に、生育時期別に枝葉Ｐ３の成長する高さを予測して設定した複数の誘引線２０を水平に設置し、該誘引線２０上に成長した枝葉Ｐ３の展開葉Ｐ４を載せて整葉する整葉作業と、この長手方向に沿った西がわの側面上方に、誘引線２０と平行で第１花房Ｐ５が生育する時期の第１花房Ｐ５の高さを予想して設定した荷重負担パイプ３０を水平に設置し、該荷重負担パイプ３０に第１花房が生育した時期の主茎を傾けて固定する主茎固定作業と、を有し、第１花房の開花時期から果実の収穫時期まで主茎を栽培槽１０の西がわに傾けた状態で支持して超密植栽培で第１花房のみを収穫するトマトの一段密植栽培方法において、前記整葉作業は、前記生育初期の枝葉Ｐ３が生育する高さに設定された第１誘引線２１を前記栽培槽１０の定植位置から西がわに配置し、該第１誘引線２１上に生育初期の枝葉Ｐ３の展開葉Ｐ４を載せる第１整葉工程１００と、第１花房生育時期の枝葉Ｐ３の高さに設定された第２誘引線２２を前記栽培槽１０の定植位置から東がわに配置し、該第２誘引線２２上に第１花房Ｐ５生育時期の枝葉Ｐ３の展開葉Ｐ４を載せる第２整葉工程２００と、第１花房Ｐ５生育位置より上の枝葉Ｐ３の高さに設定された第３誘引線２３を前記栽培槽１０の定植位置から東西に一対配置し、該第３誘引線２３上に第１花房Ｐ５より上の枝葉Ｐ３の展開葉Ｐ４を東西に振り分けるように載せる第３整葉工程４００とからなる栽培方法にある。
【００１３】
第２の手段は、南北方向を長手方向として連設される栽培槽１０と、栽培槽１０の上に水平に設置される複数本の誘引線２０と、この長手方向に沿った左がわ側面上方で誘引線と平行に設置された荷重負担パイプ３０と、該荷重負担パイプ３０に主茎Ｐ２を固定する誘引クリップ４０とを備え、生育した枝葉Ｐ３の展開葉Ｐ４を各誘引線２０に載せると共に、第１花房Ｐ５が生育した時期に栽培槽１０の定植位置から左がわに傾けた主茎Ｐ２を、誘引クリップ４０を介して荷重負担パイプ３０に固定するように構成され、超密植栽培で第１花房のみを収穫するトマトの一段密植栽培に使用する栽培装置において、前記誘引線２０は、前記栽培槽１０の定植位置から西がわに配置され、前記生育初期の枝葉Ｐ３が生育する高さに設置する第１誘引線２１と、前記栽培槽１０の定植位置から東がわに配置され、第１花房Ｐ５生育時期の枝葉Ｐ３の高さに設置する第２誘引線２２と、前記栽培槽１０の定植位置の東西に一対配置され、第１花房Ｐ５生育位置より上の枝葉Ｐ３の高さに設定した第３誘引線２３とからなり、各枝葉Ｐ３の展開葉Ｐ４を東西に振り分けて各誘引線２０に載せるように構成した栽培装置にある。
【００１５】
第３の手段の前記栽培槽１０は、底部１１と、底部１１の長手方向の両側縁から立設された二つの側壁部１２にて樋状に成形された容器本体１３と、該容器本体１３の開口上部を施蓋する上蓋１４とによって構成され、上蓋１４には、苗Ｐの培地Ｐ１を容器本体１３内に差し込み可能な径に開口された大開口部１５Ａと、該大開口部１５Ａに隣接し定植後に苗の主茎Ｐ２を側面から保持する小開口部１５Ｂとからなる主茎保持孔１５が形成されたものである。
【００１６】
第４の手段において、前記誘引クリップ４０は、前記荷重負担パイプ３０の側面に嵌合せしめる嵌合連結部４１と、該嵌合連結部４１に連設され、主茎Ｐ２の側面を把持せしめる把持部４２とで構成され、該把持部４２の開口端部に、互いに係止する一対の係止突起４３ａ、４３ｂを備えた係脱自在な係合止部４３を設けたものである。
【発明の効果】
【００１７】
本発明の請求項１によると、誘引線２０上に成長した枝葉Ｐ３の展開葉Ｐ４を載せて整葉する整葉作業と、荷重負担パイプ３０に第１花房が生育した時期の主茎を傾けて固定する主茎固定作業とを有し、第１花房の開花時期から果実の収穫時期まで主茎を西がわに傾けた状態で支持して栽培する方法により、一段密植栽培において、多くの労働時間を必要とする誘引・整枝作業等の軽減を図ることが可能になった。この結果、一段密植栽培の栽培管理に要する労働時間を短縮し、生産コストを大幅に削減することができる。
【００１８】
また、本発明の整葉作業は、第１整葉工程１００と、第２整葉工程２００と、第３整葉工程４００とで、各成長時期に合わせた合理的な管理が可能になる。特に、従来の整枝作業のように、枝葉の先端側を上方に押し上げるようにして枝葉の枝部分を個々に誘引線に固定するといった複雑な作業は全く不要になり、枝葉の展開葉を各誘引線２０上に載せるといった単純作業で整葉作業が完了する。この結果、従来の振り分け紐誘引法を使用した栽培と、本発明の整葉作業による栽培とにおいて、定植から摘心までの労働時間を比較すると、振り分け紐誘引法を使用した栽培では、労働時間が２５５時間であるのに対し、本発明の整葉作業による栽培では僅か６２時間程度となり、労働時間が大幅に短縮された実証結果がある。
【００１９】
請求項２のごとく、本発明装置では、南北方向に沿って連設される栽培槽１０と、栽培槽１０の上に水平に設置される複数本の誘引線２０と、栽培槽１０の西がわ側面上方で誘引線と平行に設置された荷重負担パイプ３０と、該荷重負担パイプ３０に主茎Ｐ２を固定する誘引クリップ４０とを備えたものであるから、一段密植栽培に使用する従来の栽培装置として、荷重負担パイプ３０や誘引クリップ４０等を追加した構成になっている。これらの構成は、この種の栽培装置において極めて容易に追加できるものであるから、作業者はこれまでの一段密植栽培に使用した装置をそのまま利用することができるので、設備費用を合理化することができる。
【００２０】
また、本発明の誘引線２０は、前記栽培槽１０の定植位置から西がわに配置され、前記生育初期の枝葉Ｐ３が生育する高さに設置する第１誘引線２１と、前記栽培槽１０の定植位置から東がわに配置され、第１花房Ｐ５生育時期の枝葉Ｐ３の高さに設置する第２誘引線２２と、前記栽培槽１０の定植位置の東西に一対配置され、第１花房Ｐ５生育位置より上の枝葉Ｐ３の高さに設定した第３誘引線２３とからなり、各枝葉Ｐ３の展開葉Ｐ４を東西に振り分けて各誘引線２０に載せるように構成したものであるから、これら誘引線２０を設置しておくだけで、年４回の整葉作業が容易に行えることになり、極めて合理的な利用ができるものである。
【００２１】
請求項３のごとく、栽培槽１０の上蓋１４には、苗Ｐの培地Ｐ１を容器本体１３内に差し込み可能な径に開口された大開口部１５Ａと、該大開口部１５Ａに隣接し定植後に苗の主茎Ｐ２を側面から保持する小開口部１５Ｂとからなる主茎保持孔１５が形成されたものであるから、定植直後の苗Ｐの主茎Ｐ２を主茎保持孔１５が保持するので、成長前の主茎Ｐ２を保持する他の装置は一切必要としない構成になっている。したがって、本発明栽培装置の構成が極めてシンプルになっており、扱い易く、メンテナンスも容易である。
【００２２】
請求項４のごとく、誘引クリップ４０は、前記荷重負担パイプ３０の側面に嵌合せしめる嵌合連結部４１と、該嵌合連結部４１に連設され、主茎Ｐ２の側面を把持せしめる把持部４２とで構成され、該把持部４２の開口端部に、互いに係止する一対の係止突起４３ａ、４３ｂを備えた係脱自在な係合止部４３を設けたものであるから、主茎Ｐ２を荷重負担パイプ３０に簡単に固定することができる。この結果、本発明の栽培方法のように、摘心後、植物高がほぼ定まった後の主茎Ｐ２を荷重負担パイプ３０に斜めに固定するといった重要な作業でも、極めて容易に行えるものである。
【図面の簡単な説明】
【００２３】
【図１】本発明装置の一実施例を示す要部斜視図である。
【図２】本発明装置の一実施例を示す要部側面図である。
【図３】本発明装置の一実施例を示す要部正面図である。
【図４】本発明装置の栽培槽の一実施例を示す正断面図である。
【図５】本発明装置の栽培槽の主茎保持孔を示す平面図である。
【図６】本発明装置の誘引クリップを示す平面図である。
【図７】本発明装置の誘引クリップの使用例を示す斜視図である。
【図８】本発明方法の第１整葉工程を示す概略正面図である。
【図９】本発明方法の第２整葉工程を示す概略正面図である。
【図１０】本発明方法の第３整葉工程を示す概略正面図である。
【図１１】本発明方法の第４整葉工程を示す概略正面図である。
【図１２】本発明方法の工程図である。
【発明を実施するための形態】
【００２４】
本発明によると、単位面積当たりの収穫が多い一段密植栽培において、多くの労働時間を必要とする誘引・整枝作業等の軽減を図ることが可能で、栽培管理に要する労働時間を短縮し、生産コストを大幅に削減することができるなどといった当初の目的を達成した。
【００２５】
以下、本発明の実施例を説明する。本発明装置は、超密植栽培で第１花房のみを収穫するトマトの一段密植栽培に使用する栽培装置である。本発明装置の基本構成は、栽培槽１０、誘引線２０、荷重負担パイプ３０、誘引クリップ４０にて構成されている（図１参照）。
【００２６】
栽培槽１０は、主に南北方向を前後方向として連設される部材で、樋状に成形された容器本体１３の開口上部を上蓋１４が施蓋する構成になっている（図４参照）。すなわち、容器本体１３は、底部１１と、底部１１の長手方向の両側縁から立設された二つの側壁部１２にて樋状に成形されている。図示の栽培槽１０は、栽培ベッド架台１の上に載置した状態を示している（図３参照）。この栽培ベッド架台１は、栽培槽１０を載置する外、後述する誘引線２０や荷重負担パイプ３０等を設置するために鳥居状に構成された支柱２が、栽培ベッド架台１の長手両端部や２ｍごとに立設されたものである。
【００２７】
尚、本発明の記載において、便宜上、南北方向を前後方向（図示の長手方向）とし、東がわを右がわ、西がわを左がわと言い換えている箇所がある。栽培方法では、これらの方角が植物生理上、重要な要素になっているが、実際の農業の生産現場において、施設ハウスの東西南北は所有する土地によって制限されるため、必ずしも植物生理にもとづいた配置は難しく、最適な方角を選択できないことがあるのがその理由である。但し、以下の説明では、栽培に最適な方角、すなわち前後方向（図示の長手方向）を南北方向とし、右向きを東向き、左向きを西向きとして説明する。
【００２８】
栽培槽１０を施蓋する上蓋１４には、大開口部１５Ａと小開口部１５Ｂとが一体に形成された主茎保持孔１５が形成されている（図１参照）。大開口部１５Ａは、苗Ｐの培地Ｐ１を容器本体１３内に差し込み可能な径に開口されたものである（図５参照）。一方、小開口部１５Ｂは、この大開口部１５Ａに隣接して形成されており、定植後に苗の主茎Ｐ２を側面から保持するように構成している。したがって、苗Ｐを栽培槽１０に定植する場合、上蓋１４の大開口部１５Ａから容器本体１３内に挿入後、主茎Ｐ２を小開口部１５Ｂで支えるようにすることで、この苗Ｐを支える他の部材は一切必要なくなるものである（図４参照）。
【００２９】
誘引線２０は、栽培槽１０の上に水平に設置される部材で、第１誘引線２１、第２誘引線２２、第３誘引線２３の三種類を使用することで、成長時期に応じて、各枝葉Ｐ３の展開葉Ｐ４を東西に振り分けて各誘引線２０に載せるように構成している（図２参照）。図示の誘引線２０は、栽培ベッド架台１に装着した各支柱２に掛け渡している。また、各誘引線２０の高さ設定は、栽培槽１０内の苗Ｐに与えられる積算温度から算出したものである。
【００３０】
第１誘引線２１は、前記生育初期の枝葉Ｐ３が生育する高さに設置するもので、栽培槽１０の定植位置から西がわに配置する（図８参照）。この第１誘引線２１は、トマト定植から１４日後の生育初期となる枝葉Ｐ３の展開葉Ｐ４を載置するもので、およそ１５〜２０ｃｍの高さに設置する。また、第１誘引線２１は、生育後期において、後述する荷重負担パイプ３０に斜めに支持した主茎Ｐ２の下部を支持するものでもある。図示例では、便宜上、枝葉Ｐ３の展開葉Ｐ４を省略して柄部のみで枝葉Ｐ３の高さを示している（以下、図９〜図１１において同じ）。
【００３１】
第２誘引線２２は、第１花房Ｐ５生育時期の枝葉Ｐ３の高さに設置するもので、栽培槽１０の定植位置から東がわに配置する（図９参照）。この第２誘引線２２は、トマト定植から１４日〜２１日後の生育初期となる枝葉Ｐ３の展開葉Ｐ４を載置するもので、およそ３０〜５０ｃｍの高さに設置する。この第２誘引線２２では、主に、第１花房Ｐ５の下の枝葉Ｐ３の展開葉Ｐ４を載せるだけで、展開葉Ｐ４の方向が一方向に揃い、受光効率的を高めるものである。
【００３２】
第３誘引線２３は、第１花房Ｐ５生育位置より上の枝葉Ｐ３の高さに設置するもので、栽培槽１０の定植位置の東西に一対配置する（図１１参照）。この第３誘引線２３は、トマト定植から４９日〜７０日後の第１花房Ｐ５上の枝葉Ｐ３の展開葉Ｐ４を載置する。このような第１花房Ｐ５上の枝葉Ｐ３を誘引線で整枝する作業は慣行栽培でも行われているが、本発明装置では、枝葉Ｐ３の展開葉Ｐ４を第３誘引線２３に載せるだけでよいものである。しかも第３誘引線２３は、定植位置の東西に一対配置されているので、成長が続く枝葉Ｐ３の展開葉Ｐ４を合理的に処理できるものである。
【００３３】
荷重負担パイプ３０は、栽培槽１０の西がわ側面上方で誘引線と平行に設置された部材である（図２参照）。この荷重負担パイプ３０は、トマト定植後、２８日以降に第１花房Ｐ５が生育した位置の上下付近で主茎Ｐ２を支持し、果実の荷重を支える部材となっている（図１０参照）。例えば、果実の荷重合計が７５０g〜１０００g程度の荷重を支えるように構成している。また、この荷重負担パイプ３０は、第１花房Ｐ５が生育した主茎Ｐ２を斜めに支持することで、この第１花房Ｐ５における果実の生育条件を良好にするといった重要な目的で使用する。すなわち、第１花房Ｐ５が生育した時期に栽培槽１０の定植位置から西がわに傾けた主茎Ｐ２を、荷重負担パイプ３０に支持するように構成したものである。
【００３４】
誘引クリップ４０は、該荷重負担パイプ３０に支持した主茎Ｐ２を固定する部材である（図７参照）。この誘引クリップ４０は、前記荷重負担パイプ３０の側面に嵌合せしめる嵌合連結部４１と、該嵌合連結部４１に連設され、主茎Ｐ２の側面を把持せしめる把持部４２とで構成されている。そして、把持部４２の開口端部に係合止部４３を設けている（図６参照）。この係合止部４３は、互いに係止する一対の係止突起４３ａ、４３ｂを備えたもので、係合止部４３を係脱自在にしている。図示では、一方の係止突起４３ａに操作片４４を連設し、この操作片４４の操作で係合状態の係合止部４３を開放できるようにしている。
【００３５】
次に本発明の栽培方法を説明する。本発明方法では、前述の本発明装置を利用するもので、超密植栽培で第１花房のみを収穫する一段密植栽培方法である。そして、本発明方法での特徴的な作業には、整葉作業と主茎固定作業とがある。
【００３６】
整葉作業は、南北方向に沿って連設された栽培槽１０の長手方向に沿った上方に、生育時期別に枝葉Ｐ３の成長する高さを予測して設定した複数の誘引線２０を水平に設置し、該誘引線２０上に成長した枝葉Ｐ３の展開葉Ｐ４を載せて整葉する作業である。この作業は、従来の整枝作業のように、枝葉Ｐ３の枝部を固定するものではなく、枝葉Ｐ３の展開葉Ｐ４を誘引線２０に載せるだけで展開葉Ｐ４を整葉するものである。したがって、作業者は、成育時期に応じて成長した展開葉Ｐ４を、そばに設置してある誘引線２０に載せるだけの作業で整葉作業が完了する。そのため、この整葉作業は、成長時期により、第１整葉工程１００、第２整葉工程２００、第３整葉工程４００が行われる（図１２参照）。
【００３７】
第１整葉工程１００は、生育初期の枝葉Ｐ３が生育する高さに設定された第１誘引線２１を前記栽培槽１０の定植位置から西がわに配置し、該第１誘引線２１上に生育初期の枝葉Ｐ３の展開葉Ｐ４を載せる工程である（図８参照）。この工程後、第１花房Ｐ５が目視できる時期には、地上部を回転させて第１花房Ｐ５を東向きに調整する。
【００３８】
第２整葉工程２００は、第１花房生育時期の枝葉Ｐ３の高さに設定された第２誘引線２２を前記栽培槽１０の定植位置から東がわに配置し、該第２誘引線２２上に第１花房Ｐ５生育時期の枝葉Ｐ３の展開葉Ｐ４を載せる工程である（図９参照）。この工程時期に、第１花房Ｐ５が３個程度開花したことを確認後、受粉作業を行う。
【００３９】
第３整葉工程４００は、第１花房Ｐ５生育位置より上の枝葉Ｐ３の高さに設定された第３誘引線２３を前記栽培槽１０の定植位置から東西に一対配置し、該第３誘引線２３上に第１花房Ｐ５より上の枝葉Ｐ３の展開葉Ｐ４を東西に振り分けるように載せる工程である（図１１参照）。この時期は、側枝を除去する芽掻作業や、この時期以降に下位葉が退色したり黄化したりしていると、第１花房Ｐ５直下の２枚の展開葉Ｐ４を残し、それより下位の展開葉Ｐ４を除去する。
【００４０】
主茎固定作業は、栽培槽１０の長手方向に沿った西がわ側面上方に、誘引線２０と平行で第１花房Ｐ５が生育する時期の第１花房Ｐ５の高さを予想して設定した荷重負担パイプ３０を水平に設置し、該荷重負担パイプ３０に第１花房が生育した時期の主茎を傾けて固定する作業である（図１０参照）。この作業は、前記整葉作業の第２整葉工程２００と第３整葉工程４００との間に行う主茎固定工程３００となる。この主茎固定工程３００の時期には、第１花房Ｐ５の上位２枚の展開葉Ｐ４を残し、生長点を除去する摘心作業や、第１花房Ｐ５直下の側枝を除去する芽掻作業が伴うものである。
【産業上の利用可能性】
【００４１】
本発明は、特にトマトの一段密植栽培方法及び装置として説明しているが、トマトの生育条件が類似する植物にも利用することが可能である。また、本発明の栽培槽１０や誘引線２０、荷重負担パイプ３０等の各構成や材質等は図示例に限られるものではなく、本発明の要旨を変更しない範囲での設計変更は任意に行えるものである。
【符号の説明】
【００４２】
Ｐ    苗
Ｐ１  培地
Ｐ２  主茎
Ｐ３  枝葉
Ｐ４  展開葉
１  栽培ベッド架台
２  支柱
１０  栽培槽
１１  底部
１２  側壁部
１３  容器本体
１４  上蓋
１５  主茎保持孔
１５Ａ  大開口部
１５Ｂ  小開口部
２０  誘引線
２１  第１誘引線
２２  第２誘引線
２３  第３誘引線
３０  荷重負担パイプ
４０  誘引クリップ
４１  嵌合連結部
４２  把持部
４３  係合止部
１００  第１整葉工程
２００  第２整葉工程
３００  主茎固定工程
４００  第３整葉工程
【図１】
0005805502.tif 000002
【図２】
0005805502.tif 000003
【図３】
0005805502.tif 000004
【図４】
0005805502.tif 000005
【図５】
0005805502.tif 000006
【図６】
0005805502.tif 000007
【図７】
0005805502.tif 000008
【図８】
0005805502.tif 000009
【図９】
0005805502.tif 000010
【図１０】
0005805502.tif 000011
【図１１】
0005805502.tif 000012
【図１２】
0005805502.tif 000013